(57)【要約】【課題】  プリインストールされたコンテンツを所定の条件下でユーザに利用させる。【解決手段】  特定の正規コンテンツを再生するための正規ライセンスと，正規コンテンツ群に含まれる任意の１または２以上の正規コンテンツを再生するための仮ライセンスと，試用コンテンツ群に含まれる任意の１または２以上の試用コンテンツを再生するための試用ライセンスとを格納可能なライセンス記憶部２０４と，仮ライセンスに応じた正規コンテンツの再生状況を示すステータス情報を記憶するステータス記憶部２１８と，ステータス情報を更新するステータス更新部２２４と，いずれかのライセンスに基づいて正規コンテンツおよび試用コンテンツの再生を制御する再生制御部２２２とをコンテンツ再生装置に備えた。【選択図】    図２
2006024030.tif 000002
【特許請求の範囲】
【請求項１】
プリインストールされたコンテンツの再生を制御するコンテンツ再生装置であって：
プリインストールされた複数の正規コンテンツから成る正規コンテンツ群と，前記正規コンテンツに対応する試用コンテンツから成る試用コンテンツ群と，を格納するコンテンツ記憶部と；
特定の前記正規コンテンツを再生するための正規ライセンスと，前記正規コンテンツ群に含まれる任意の１または２以上の前記正規コンテンツを再生するための仮ライセンスと，前記試用コンテンツ群に含まれる任意の１または２以上の前記試用コンテンツを再生するための試用ライセンスと，を格納可能なライセンス記憶部と；
前記仮ライセンスに応じた前記１または２以上の正規コンテンツの再生状況を示すステータス情報を記憶するステータス記憶部と；
前記ステータス記憶部のステータス情報を更新するステータス更新部と；
前記ライセンス記憶部に格納されたいずれかのライセンスに基づいて前記正規コンテンツおよび前記試用コンテンツの再生を制御する再生制御部と；を備え，
前記再生制御部は，
前記試用ライセンスに基づいて前記試用コンテンツの再生を制御し；
前記正規ライセンスに基づいて前記正規コンテンツの再生を制御し；
前記仮ライセンスと，前記ステータス記憶部のステータス情報とに基づいて前記正規コンテンツの再生を制御することを特徴とする，コンテンツ再生装置。
【請求項２】
前記仮ライセンスには，再生可能な前記正規コンテンツの上限数を示す情報が含まれることを特徴とする，請求項１に記載のコンテンツ再生装置。
【請求項３】
前記ステータス情報には，再生された前記正規コンテンツの数を示す情報が含まれることを特徴とする，請求項２に記載のコンテンツ再生装置。
【請求項４】
前記再生制御部は，前記仮ライセンスから前記再生可能な正規コンテンツの上限数を取得し，前記ステータス記憶部から前記再生された正規コンテンツの数を取得し，該正規コンテンツの数が該上限数を超えていない場合には前記任意の正規コンテンツの再生を許可し，超えている場合には再生を制限することを特徴とする，請求項３に記載のコンテンツ再生装置。
【請求項５】
前記仮ライセンスには，１の前記正規コンテンツを利用可能な期間を示す情報が含まれることを特徴とする，請求項１に記載のコンテンツ再生装置。
【請求項６】
前記ステータス情報には，再生された前記正規コンテンツを前記正規コンテンツ群から一意に識別する識別子が含まれることを特徴とする，請求項５に記載のコンテンツ再生装置。
【請求項７】
前記ステータス情報には，前記再生された正規コンテンツの利用経過期間を示す情報が含まれ，
前記ステータス記憶部は，前記識別子と，該識別子によって識別される前記正規コンテンツの利用経過期間を示す情報と，を関連づけて記憶することを特徴とする，請求項６に記載のコンテンツ再生装置。
【請求項８】
前記再生制御部は，前記仮ライセンスから前記１の正規コンテンツを利用可能な期間を取得し，前記ステータス記憶部から前記正規コンテンツの利用経過期間を取得し，該利用経過期間が該利用可能な期間を超えていない場合には該利用経過期間と関連づけられている前記識別子によって識別される前記正規コンテンツの再生を許可することを特徴とする，請求項７に記載のコンテンツ再生装置。
【請求項９】
前記ステータス更新部は，前記仮ライセンスに応じた正規コンテンツの再生状況に基づいて前記ステータス記憶部のステータス情報を更新することを特徴とする，請求項１に記載のコンテンツ再生装置。
【請求項１０】
前記仮ライセンスがプリインストールされていることを特徴とする，請求項１に記載のコンテンツ再生装置。
【請求項１１】
前記試用ライセンスがプリインストールされていることを特徴とする，請求項１に記載のコンテンツ再生装置。
【請求項１２】
前記試用コンテンツは，前記正規コンテンツの所定の一部分であることを特徴とする，請求項１に記載のコンテンツ再生装置。
【請求項１３】
前記試用コンテンツは，前記正規コンテンツよりも低品質であることを特徴とする，請求項１に記載のコンテンツ再生装置。
【請求項１４】
前記正規ライセンスを発行するライセンス発行サーバから通信網を介して前記正規ライセンスを受信するライセンス受信部をさらに備え，
前記正規ライセンスは前記ライセンス受信部によって前記ライセンス発行サーバから取得されることを特徴とする，請求項１に記載のコンテンツ再生装置。
【請求項１５】
前記ステータス更新部は，前記ライセンス受信部によって取得された正規ライセンスの数に応じて，前記ステータス記憶部内の再生された前記正規コンテンツの数を示す情報を更新することを特徴とする，請求項１４に記載のコンテンツ再生装置。
【請求項１６】
前記試用コンテンツの再生履歴および／または前記仮ライセンスに応じた前記正規コンテンツの再生履歴を記憶する再生履歴記憶部をさらに備えることを特徴とする，請求項１に記載のコンテンツ再生装置。
【請求項１７】
前記再生履歴記憶部には，再生された前記試用コンテンツを前記試用コンテンツ群から一意に識別する識別子および／または再生された前記正規コンテンツを前記正規コンテンツ群から一意に識別する識別子が記憶され，
前記識別子によって識別される試用コンテンツに対応する正規コンテンツおよび／または前記識別子によって識別される正規コンテンツ以外の任意の正規コンテンツを前記コンテンツ記憶部から削除するコンテンツ更新部，をさらに備えることを特徴とする，請求項１６に記載のコンテンツ再生装置。
【請求項１８】
前記再生履歴記憶部に記憶されている再生履歴を外部サーバに送信する再生履歴送信部と，
前記送信した再生履歴に基づいてリコメンドされる１または２以上のコンテンツに関連するリコメンド情報を前記外部サーバから受信するリコメンド情報受信部と，
をさらに備えることを特徴とする，請求項１６に記載のコンテンツ再生装置。
【請求項１９】
前記リコメンド情報に基づいて前記リコメンドされる１または２以上のコンテンツを外部装置から取得するコンテンツ取得部をさらに備えることを特徴とする，請求項１８に記載のコンテンツ再生装置。
【請求項２０】
プリインストールされたコンテンツの再生を制御するコンテンツ再生装置をして：
特定の正規コンテンツを再生するための正規ライセンスに基づいて，コンテンツ記憶部に格納されている複数の正規コンテンツから成る正規コンテンツ群に含まれる前記特定の正規コンテンツの再生を制御する正規ライセンス利用再生制御処理と；
前記正規コンテンツ群に含まれる任意の１または２以上の前記正規コンテンツを再生するための仮ライセンスと，前記仮ライセンスに応じた前記１または２以上の正規コンテンツの再生状況を示すステータス情報が記憶されたステータス記憶部のステータス情報と，に基づいて前記正規コンテンツの再生を制御する仮ライセンス利用再生制御処理と；
前記正規コンテンツに対応する試用コンテンツから成る試用コンテンツ群に含まれる任意の１または２以上の前記試用コンテンツを再生するための試用ライセンスに基づいて前記試用コンテンツの再生を制御する試用ライセンス利用再生制御処理と；
前記仮ライセンス利用再生制御処理において前記任意の正規コンテンツの再生を許可した場合に前記ステータス記憶部のステータス情報を更新するステータス更新処理と；
を実行せしめることを特徴とする，コンピュータプログラム。
【請求項２１】
プリインストールされたコンテンツの再生を制御する方法であって：
特定の正規コンテンツを再生するための正規ライセンスに基づいて，複数の正規コンテンツから成る正規コンテンツ群に含まれる前記特定の正規コンテンツの再生を制御する正規ライセンス利用工程と；
前記正規コンテンツ群に含まれる任意の１または２以上の前記正規コンテンツを再生するための仮ライセンスと，前記仮ライセンスに応じた前記１または２以上の正規コンテンツの再生状況を示すステータス情報が記憶されたステータス記憶部のステータス情報と，に基づいて前記正規コンテンツの再生を制御する仮ライセンス利用工程と；
前記正規コンテンツに対応する試用コンテンツから成る試用コンテンツ群に含まれる任意の１または２以上の前記試用コンテンツを再生するための試用ライセンスに基づいて前記試用コンテンツの再生を制御する試用ライセンス利用工程と；
前記仮ライセンス利用工程において前記任意の正規コンテンツの再生を許可した場合に前記ステータス記憶部のステータス情報を更新するステータス更新工程と；
を任意の順序で含むことを特徴とする，コンテンツ再生制御方法。
【請求項２２】
前記仮ライセンス利用工程は，
前記仮ライセンスから再生可能な正規コンテンツの上限数を取得する工程と，
前記ステータス記憶部から再生された正規コンテンツの数を取得する工程と，
該正規コンテンツの数が該上限数を超えていない場合には前記任意の正規コンテンツの再生を許可し，超えている場合には再生を制限する工程と，
を含むことを特徴とする，請求項２１に記載のコンテンツ再生制御方法。
【請求項２３】
前記仮ライセンス利用工程は，
前記仮ライセンスから１の正規コンテンツを利用可能な期間を取得する工程と，
前記ステータス記憶部から再生された正規コンテンツの利用経過期間を取得する工程と，
該利用経過期間が該利用可能な期間を超えていない場合には該利用経過期間と関連付けて前記ステータス記憶部に記憶されている識別子によって識別される正規コンテンツの再生を許可する工程と，
を含むことを特徴とする，請求項２１に記載のコンテンツ再生制御方法。
【請求項２４】
前記正規ライセンスを発行するライセンス発行サーバから通信網を介して前記正規ライセンスを受信する正規ライセンス取得工程をさらに含むことを特徴とする，請求項２１に記載のコンテンツ再生制御方法。
【請求項２５】
前記正規ライセンス取得工程は，前記ライセンス発行サーバから取得した前記正規ライセンスの数に応じて前記ステータス記憶部内の再生された前記正規コンテンツの数を示す情報を更新する工程を含むことを特徴とする，請求項２４に記載のコンテンツ再生制御方法。
【請求項２６】
前記試用コンテンツの再生履歴および／または前記仮ライセンスに応じた前記正規コンテンツの再生履歴を再生履歴記憶部に記憶する工程をさらに含むことを特徴とする，請求項２１に記載のコンテンツ再生制御方法。
【請求項２７】
再生された前記試用コンテンツを前記試用コンテンツ群から一意に識別する識別子および／または再生された前記正規コンテンツを前記正規コンテンツ群から一意に識別する識別子を再生履歴記憶部に記憶する工程と，
前記識別子によって識別される試用コンテンツに対応する正規コンテンツおよび／または前記識別子によって識別される正規コンテンツ以外の任意の正規コンテンツを前記コンテンツ記憶部から削除する工程と，
をさらに含むことを特徴とする，請求項２１に記載のコンテンツ再生制御方法。
【請求項２８】
前記再生履歴記憶部に記憶されている再生履歴を外部サーバに送信する工程と，
前記送信した再生履歴に基づいてリコメンドされる１または２以上のコンテンツに関連するリコメンド情報を前記外部サーバから受信する工程と，
をさらに含むことを特徴とする，請求項２６に記載のコンテンツ再生制御方法。
【請求項２９】
前記リコメンド情報に基づいて前記リコメンドされる１または２以上のコンテンツを外部装置から取得する工程をさらに含むことを特徴とする，請求項２８に記載のコンテンツ再生制御方法。
【発明の詳細な説明】
【技術分野】
【０００１】
本発明は，コンテンツ再生装置，コンテンツ再生制御方法およびコンピュータプログラムに関する。
【背景技術】
【０００２】
従来，音楽コンテンツや映像コンテンツなどのデジタルコンテンツを，そのコンテンツが格納されているサーバからユーザが所有するＰＣ（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔ）等の情報端末にダウンロードさせ，その情報端末上でそのコンテンツを利用させるコンテンツ提供サービスが行われている。そのようなコンテンツ提供サービスにおいては，ユーザはコンテンツを利用するためには上記サーバ等で課金処理を行ってコンテンツに応じたライセンスを購入する必要がある。
【０００３】
一方，近年では，上記情報端末における記憶容量の増加に伴い，予め複数のコンテンツを情報端末の記憶装置に記憶させた状態で，つまり複数のコンテンツをプリインストールした状態で当該情報端末をユーザに提供することも可能となった。
【０００４】
【特許文献１】特開２００３−３０８４４０号公報
【発明の開示】
【発明が解決しようとする課題】
【０００５】
プリインストールされたコンテンツの利用をライセンスによって管理する場合には，コンテンツに対応したライセンスもプリインストールする方法と，ライセンスは従来のようにサーバから送信する方法とが考えられる。しかしながら，前者の場合には，当該情報端末を購入したユーザが所望しないコンテンツのライセンスまでが予めインストールされており，そのライセンスに対する課金も予めされてしまうという不都合が生じる。一方，後者の場合には，情報端末にコンテンツがプリインストールされているにも係わらず，コンテンツに対応したライセンスをサーバから逐一取得しなくてはそのコンテンツが利用できないという不便をユーザに強いることになる。一方，プリインストールされたコンテンツをライセンス管理を行うことなくユーザに自由に利用させることは，著作権保護の観点から望ましくない。
【０００６】
そこで，本発明は，このような問題に鑑みてなされたもので，その目的とするところは，プリインストールされたコンテンツを自由に利用するためにはコンテンツに応じたライセンスの取得を必要としながらも，当該コンテンツを所定の条件下でユーザに利用させることが可能なコンテンツ再生装置，コンテンツ再生制御方法およびコンピュータプログラムを提供することにある。
【課題を解決するための手段】
【０００７】
上記課題を解決するために，本発明のある観点によれば，プリインストールされたコンテンツの再生を制御するコンテンツ再生装置が提供される。上記コンテンツ再生装置は，プリインストールされた複数の正規コンテンツから成る正規コンテンツ群と，正規コンテンツに対応する試用コンテンツから成る試用コンテンツ群と，を格納するコンテンツ記憶部と，特定の正規コンテンツを再生するための正規ライセンスと，正規コンテンツ群に含まれる任意の１または２以上の正規コンテンツを再生するための仮ライセンスと，試用コンテンツ群に含まれる任意の１または２以上の試用コンテンツを再生するための試用ライセンスと，を格納可能なライセンス記憶部と，仮ライセンスに応じた１または２以上の正規コンテンツの再生状況を示すステータス情報を記憶するステータス記憶部と，ステータス記憶部のステータス情報を更新するステータス更新部と，ライセンス記憶部に格納されたいずれかのライセンスに基づいて正規コンテンツおよび試用コンテンツの再生を制御する再生制御部とを備える。
【０００８】
上記再生制御部は，試用ライセンスに基づいて試用コンテンツの再生を制御し，正規ライセンスに基づいて正規コンテンツの再生を制御し，仮ライセンスと，ステータス記憶部のステータス情報とに基づいて正規コンテンツの再生を制御することを特徴とする。
【０００９】
上記仮ライセンスには，再生可能な正規コンテンツの上限数を示す情報が含まれていてもよい。
【００１０】
上記ステータス情報には，再生された正規コンテンツの数を示す情報が含まれていてもよい。
【００１１】
上記再生制御部は，仮ライセンスから再生可能な正規コンテンツの上限数を取得し，ステータス記憶部から再生された正規コンテンツの数を取得し，該正規コンテンツの数が該上限数を超えていない場合には任意の正規コンテンツの再生を許可し，超えている場合には再生を制限するように構成されてもよい。
【００１２】
上記仮ライセンスには，１の正規コンテンツを利用可能な期間を示す情報が含まれていてもよい。
【００１３】
上記ステータス情報には，再生された正規コンテンツを正規コンテンツ群から一意に識別する識別子が含まれていてもよい。
【００１４】
上記ステータス情報には，再生された正規コンテンツの利用経過期間を示す情報が含まれ，上記ステータス記憶部には，識別子と，該識別子によって識別される正規コンテンツの利用経過期間を示す情報と，が関連づけられて記憶されていてもよい。
【００１５】
上記再生制御部は，仮ライセンスから１の正規コンテンツを利用可能な期間を取得し，ステータス記憶部から正規コンテンツの利用経過期間を取得し，該利用経過期間が該利用可能な期間を超えていない場合には該利用経過期間と関連付けられている識別子によって識別される正規コンテンツの再生を許可するように構成されてもよい。
【００１６】
上記コンテンツ再生装置には，上記仮ライセンスがプリインストールされていてもよい。
【００１７】
上記コンテンツ再生装置には，上記試用ライセンスがプリインストールされていてもよい。
【００１８】
上記試用コンテンツは，正規コンテンツの所定の一部分であってもよい。
【００１９】
上記試用コンテンツは，正規コンテンツよりも低品質であってもよい。
【００２０】
上記コンテンツ再生装置は，正規ライセンスを発行するライセンス発行サーバから通信網を介して正規ライセンスを受信するライセンス受信部をさらに備え，正規ライセンスはライセンス受信部によってライセンス発行サーバから取得されてもよい。
【００２１】
上記ステータス更新部は，ライセンス受信部によって取得された正規ライセンスの数に応じて，ステータス記憶部内の再生された正規コンテンツの数を示す情報を更新するように構成されてもよい。
【００２２】
上記コンテンツ再生装置は，試用コンテンツの再生履歴および／または仮ライセンスに応じた正規コンテンツの再生履歴を記憶する再生履歴記憶部をさらに備えてもよ。
【００２３】
上記再生履歴記憶部には，再生された試用コンテンツを試用コンテンツ群から一意に識別する識別子および／または再生された正規コンテンツを正規コンテンツ群から一意に識別する識別子が記憶され，上記コンテンツ再生装置は，上記識別子によって識別される試用コンテンツに対応する正規コンテンツおよび／または識別子によって識別される正規コンテンツ以外の任意の正規コンテンツをコンテンツ記憶部から削除するコンテンツ更新部をさらに備。
【００２４】
上記コンテンツ再生装置は，上記再生履歴記憶部に記憶されている再生履歴を外部サーバに送信する再生履歴送信部と，送信した再生履歴に基づいてリコメンドされる１または２以上のコンテンツに関連するリコメンド情報を外部サーバから受信するリコメンド情報受信部とをさらに備えていてもよい。
【００２５】
上記コンテンツ再生装置は，上記リコメンド情報に基づいてリコメンドされる１または２以上のコンテンツを外部装置から取得するコンテンツ取得部をさらに備えていてもよい。
【００２６】
上記課題を解決するために，本発明の別の観点によれば，コンピュータをして上記コンテンツ再生装置として機能せしめるコンピュータプログラムが提供される。
【００２７】
また，上記課題を解決するために，本発明の別の観点によれば，上記コンテンツ再生装置において実現されるコンテンツ再生制御方法が提供される。
【発明の効果】
【００２８】
以上説明したように本発明によれば，プリインストールされたコンテンツを自由に利用するためにはコンテンツに応じたライセンスの取得を必要としながらも，当該コンテンツを所定の条件下でユーザに利用させることが可能なコンテンツ再生装置，コンテンツ再生制御方法およびコンピュータプログラムを提供できるものである。
【発明を実施するための最良の形態】
【００２９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３０】
（第１実施形態）
まず，図１に基づいて第１実施形態にかかるコンテンツ再生システム１００の全体構成について説明する。コンテンツ再生システム１００は，例えば，ライセンス発行サーバ１０２と，コンテンツ再生装置１０４ａ，１０４ｂ，１０４ｃ，…，と，通信網１０６などから構成される。
【００３１】
コンテンツ再生装置１０４ａ，１０４ｂ，１０４ｃ，…，（以後，単にコンテンツ再生装置１０４と称する。）は，プリインストールされたコンテンツの再生を行うことが可能な情報処理装置である。プリインストールされるとは，一般に，情報処理装置に販売前に予めソフトウェアなどが組み込まれることをいうが，本実施形態では特に，コンテンツ再生装置１０４に販売前に予めコンテンツが組み込まれることをいう。組み込まれるとは，具体的には，コンテンツ再生装置１０４が備えるハードディスク等の記憶装置にコンテンツが格納されることである。なお，ハードディスク等の記憶装置は必ずしも内蔵されている必要はなく，外付けの記憶装置にコンテンツが格納されている場合であっても，その記憶装置がコンテンツ再生装置１０４に接続されることによって実質的にコンテンツ再生装置１０４にコンテンツが組み込まれている状態も本実施形態に含まれる。
【００３２】
コンテンツには，例えば，音楽，講演，ラジオ番組等の音声（Ａｕｄｉｏ）コンテンツや，映画，テレビジョン番組，ビデオプログラム，写真，絵画，図表等を構成する静止画若しくは動画からなる映像（Ｖｉｄｅｏ）コンテンツ，電子図書（Ｅ−ｂｏｏｋ），ゲーム，ソフトウェア（ｓｏｆｔ  ｗａｒｅ）などのあらゆるデジタルコンテンツが含まれる。本実施形態においては，コンテンツ再生システム１００で扱うコンテンツを特に音楽コンテンツに適用して説明するが，本発明を限定するものではなく，上記で例示した他のコンテンツであっても本発明を適用可能である。
【００３３】
コンテンツ再生装置１０４としては，パーソナルコンピュータ（ＰＣ）等のコンピュータ装置（ノート型，デスクトップ型を問わない。），ＰＤＡ（Ｐｅｒｓｏｎａｌ  Ｄｉｇｉｔａｌ  Ａｓｓｉｓｔａｎｔ），携帯型映像プレーヤ，ＭＰ３プレーヤ，ＩＣプレーヤ等の携帯型音声プレーヤ，家庭用ゲーム機，携帯電話，ＰＨＳ，情報家電などを例示できる。
【００３４】
ライセンス発行サーバ１０２は，通信網１０６を介してコンテンツ再生装置１０４にコンテンツに対応したライセンスを送信することの可能な情報処理装置である。また，ライセンス発行サーバ１０２は，ライセンスをコンテンツ再生装置１０４に送信する際に，ライセンスに応じた課金を行う機能を備えていてもよい。
【００３５】
通信網１０６は，複数のコンテンツ再生装置１０４およびライセンス発行サーバ１０２を双方向通信可能に接続する通信回線網である。この通信網１０６は，例えば，インターネット，電話回線網，衛星通信網等の公衆回線網や，ＷＡＮ，ＬＡＮ，ＩＰ−ＶＰＮ等の専用回線網などで構成されており，有線・無線を問わない。
【００３６】
以上，コンテンツ再生システム１００について説明した。次に，図２に基づいて，本実施形態にかかるコンテンツ再生装置１０４について詳述する。
【００３７】
まず，コンテンツ再生装置１０４のハードウェア構成について概略的に説明する。コンテンツ再生装置１０４は，例えば，ＣＰＵ，ＲＯＭ，ＲＡＭ，ハードディスクなどを備える。ＣＰＵは，演算処理装置および制御装置として機能し，コンテンツ再生装置１００内の各部の処理を制御することができる。また，ＲＯＭ，ＲＡＭは，ＣＰＵの処理に関する各種データ，ＣＰＵの動作プログラム等を一時的に記憶する機能を有する。
【００３８】
ハードディスクは，例えばフラッシュメモリ等で構成されたデータ格納用の装置であり，オペレーションシステム（ＯＳ）や各種アプリケーションプログラムなどの各種データを格納することができる。このハードディスクには，例えば，後述するライセンス記憶部２０４，コンテンツ記憶部２１２，ステータス記憶部２１８などを格納することもできる。なお，上記各記憶部は，ハードディスクではなく，ＲＯＭやＲＡＭなどに格納されてもよい。
【００３９】
また，コンテンツ再生装置１０４は，外部の情報処理装置であるライセンス発行サーバ１０２からライセンスなどを通信網１０６を介して受信するための通信インタフェースや，ユーザが再生するコンテンツの指定等を行うために利用する入力装置や表示装置を適宜備える。
【００４０】
以上，コンテンツ再生装置１０４のハードウェア構成の概略を説明した。次に，図２を参照して，コンテンツ再生装置１０４の機能構成について説明する。
【００４１】
コンテンツ再生装置１０４は，例えば，ライセンス受信部２０２と，ライセンス記憶部２０４と，コンテンツ記憶部２１２と，ステータス記憶部２１８と，コンテンツ再生部２２０と，再生制御部２２２と，ステータス更新部２２４と，コンテンツ状態表示部２２６と，コンテンツ選択部と，現在日時取得部２３０などを備える。
【００４２】
ライセンス受信部２０２は，通信網１０６を介してライセンス発行サーバ１０２から後述する正規ライセンスを受信する機能を有する。なお，所望の正規ライセンスを受信するために，ライセンス送信要求をライセンス発行サーバ１０２に送信する機能を兼ね備えていてもよい。
【００４３】
ライセンス記憶部２０４は，コンテンツを再生するためのライセンスを格納する機能を有する。ライセンス記憶部２０４に格納されるライセンスには，正規ライセンス２０６，仮ライセンス２０８，試聴ライセンス２１０の３種類がある。正規ライセンス２０６は後述する正規コンテンツを再生するためのライセンスであり，ライセンス受信部２０２によってライセンス発行サーバ１０２から取得され，ライセンス記憶部２０４に格納される。
【００４４】
仮ライセンス２０８もまた，後述する正規コンテンツを再生するためのライセンスであり，コンテンツ再生装置１０４にプリインストールされて予めライセンス記憶部２０４に格納されている。ただし，仮ライセンスによる正規コンテンツの再生には，正規コンテンツによる正規コンテンツの再生とは異なる制限が課される。詳細は後述する。なお，仮ライセンス２０８は，例えばコンテンツ再生装置１０４を利用するユーザがライセンス発行サーバ１０２においてユーザ登録をした時などにライセンス発行サーバ１０２からライセンス受信部２０２が取得するようにしてもよい。
【００４５】
試聴ライセンス２１０は後述する試聴コンテンツを再生するためのライセンスであってコンテンツ再生装置１０４にプリインストールされており，予めライセンス記憶部２０４に格納されている。
【００４６】
コンテンツ記憶部２１２は，コンテンツ再生装置１０４にプリインストールされた複数の正規コンテンツから成る正規コンテンツ群と，正規コンテンツに対応する試聴コンテンツから成る試聴コンテンツ群を格納する機能を有する。本実施形態ではコンテンツを特に音楽コンテンツに適用しているため，試用コンテンツを試聴コンテンツに適用して説明する。上述の通り，本実施形態においてコンテンツは音楽コンテンツであり，１つのコンテンツには例えば１または２以上の楽曲のデジタルデータが含まれている。
【００４７】
正規コンテンツは，ライセンス受信部２０２がライセンス発行サーバから対応する正規ライセンスを取得した後は，その正規ライセンスによって再生されるコンテンツである。また，対応する正規ライセンスを取得する前は，本実施形態においてプリインストールされている仮ライセンスによって，仮ライセンスに定義された所定の条件下で再生される。換言すると，基本的には対応する正規ライセンスをユーザが購入することによって自由に再生が可能になるが，正規ライセンスを購入する前にも制限付きであれば再生することができるコンテンツである。
【００４８】
試聴コンテンツは，プリインストールされている試聴ライセンスによって再生されるコンテンツである。試聴コンテンツは正規コンテンツと対応しており，本実施形態では，プリインストールされた正規コンテンツと同数の試聴コンテンツがコンテンツ記憶部２１２に格納されている。１つの試聴コンテンツには対応する正規コンテンツに含まれる楽曲と同じ楽曲についてのデジタルデータが含まれているが，試聴コンテンツ再生時に再生される楽曲が正規コンテンツ再生時に再生される楽曲に対して品質，長さ等が異なるように試聴コンテンツが構成される。具体的には，試聴コンテンツ再生時に再生される楽曲が正規コンテンツ再生時に再生される楽曲よりも低品質で音質が劣るように構成される。または，正規コンテンツ再生時に再生される楽曲の所定の一部分（例えば楽曲の初めから３０秒等）のみが再生されるように構成される。
【００４９】
なお，上記では正規コンテンツと同数の試聴コンテンツを別に設けるように説明したが，かかる例には限定されず，例えば，コンテンツ記憶部２１２には正規コンテンツのみを格納し，試聴ライセンスによって当該正規コンテンツの所定の一部分のみの再生を許可することによって正規コンテンツの一部分を試聴コンテンツとして再生することも可能である。
【００５０】
ここで，図３〜図５を参照して，各ライセンスと各コンテンツとの関係について説明する。まず，図３に基づいて正規ライセンス２０６と正規コンテンツ２１４について説明する。
【００５１】
正規ライセンス２０６は，特定の正規コンテンツと対応付けられ，その正規コンテンツの再生制御に利用される。図示のように，正規ライセンスには例えばライセンスＩＤ３０２と，コンテンツＩＤ３０４と，コンテンツ属性３０６と，復号鍵情報３０８などが含まれる。ライセンスＩＤ３０２は，ライセンス発行サーバ１０２がコンテンツ再生装置１０４に対して正規ライセンスを発行する際に付与するライセンスの識別番号である。コンテンツＩＤ３０４は，その正規ライセンスによって再生制御される正規コンテンツを特定するものである。コンテンツＩＤは，コンテンツ記憶部２１２に格納されている正規コンテンツに各々一意に付与されているＩＤであって，１つの正規コンテンツを正規コンテンツ群から一意に識別するものである。コンテンツＩＤが正規ライセンスに含まれることによって，そのコンテンツＩＤが付与されている正規コンテンツとそのコンテンツＩＤを含む正規ライセンスとが対応付けられる。
【００５２】
コンテンツ属性３０６は，その正規ライセンスによって再生制御されるコンテンツの種類を指定するものである，コンテンツ属性は，コンテンツ記憶部２１２に格納されている正規コンテンツおよび試聴コンテンツの各々に含まれている情報であり，コンテンツ属性の値によって当該コンテンツが正規コンテンツであるのか試聴コンテンツであるのかを判別することを可能にする情報である。コンテンツ属性を正規ライセンスに含ませ，その値を正規コンテンツに含まれる値に設定することによって，正規コンテンツを制御対象として指定することができる。従って，正規コンテンツと対応する試聴コンテンツとで同一のコンテンツＩＤが付与されている場合であっても，コンテンツＩＤと併せてコンテンツ属性の値を参照することによって１つのコンテンツをコンテンツ記憶部２１２から特定することができる。
【００５３】
図示の例によれば，正規ライセンス２０６ａに含まれるコンテンツＩＤは「００２２」で，コンテンツ属性の値は「Ａ１００」であり，コンテンツ属性が「Ａ１００」である複数の正規コンテンツから成る正規コンテンツ群２１４の中でコンテンツＩＤ「００２２」が付与されている正規コンテンツ２１４ａと対応付けられ，正規ライセンス２０６ａによってコンテンツ２１４ａの再生制御が行われる。同様に，正規ライセンス２０６ｂは，コンテンツＩＤ「００３５」をもつ正規コンテンツ２１４ｄの再生制御に利用される。
【００５４】
復号鍵情報３０８は，各々の正規コンテンツに含まれる暗号化された実データ（楽曲のデジタルデータ）３１４を復号するための鍵情報である。各々の正規コンテンツの実データは同じ暗号鍵によって暗号化されていてもよいし，違う暗号鍵によって暗号化されていてもよく，後者の場合，正規ライセンスには対応する正規コンテンツの実データを復号する鍵情報が含まれる。
【００５５】
上述のように，正規ライセンスと正規コンテンツとは１対１で対応するものであり，１つのライセンスは対応する１つのコンテンツの再生制御に利用され，正規ライセンスによって特定の正規コンテンツを再生することができる。
【００５６】
次に，図４に基づいて，試聴ライセンスと試聴コンテンツについて説明する。試聴ライセンスは，試聴コンテンツの再生制御に利用される。試聴ライセンスには，例えば，ライセンスＩＤ３０２と，試聴情報４０２と，コンテンツ属性３０６などが含まれる。ライセンスＩＤ３０２は，試聴ライセンスがコンテンツ再生装置１０４にプリインストールされる際などに付与されたＩＤである。コンテンツ属性３０６は正規ライセンスに含まれるコンテンツ属性と同様であるが，試聴ライセンスではコンテンツ属性３０６の値には試聴コンテンツを示す「Ａ２００」が設定される。試聴情報４０２は，試聴の条件等を指定する情報であり，指定された条件で試聴コンテンツの再生が許可される。図示の例によれば，試聴条件４０２には「０秒から４０秒」が設定されており，試聴コンテンツに含まれる楽曲の初めから４０秒までの部分の再生が許可される。試聴情報４０２に設定する条件を変えることによって，試聴コンテンツの全部分を再生可能にすることもできる。
【００５７】
試聴ライセンスは，正規ライセンスが特定の正規コンテンツと対応付けられるのとは異なり，特定の試聴コンテンツと対応付けられてはいない。１つの試聴ライセンスによってコンテンツ属性「Ａ２００」をもつ全ての試聴コンテンツの再生制御が行われ，試聴ライセンスによって試聴コンテンツ群に含まれる任意の試聴コンテンツを再生することができる。従って，試聴ライセンス２１０にはコンテンツＩＤが含まれている必要はない。また，各試聴コンテンツに含まれる実データは暗号化されていなくてもよく，その場合には試聴ライセンス２１０には復号鍵情報が含まれていなくてもよい。
【００５８】
試聴ライセンスによって試聴コンテンツの再生制御が行われることによって，ユーザは，コンテンツ再生装置１０４にプリインストールされている正規コンテンツと対応する試聴コンテンツを再生することができる。
【００５９】
次に，図５に基づいて，仮ライセンスと正規コンテンツとの関係について説明する。仮ライセンスは，正規コンテンツの再生制御に利用される。仮ライセンスには，例えば，ライセンスＩＤ３０２と，再生上限数５０２と，再生可能期間５０４と，コンテンツ属性３０６と，復号鍵情報３０８などが含まれる。ライセンスＩＤ３０２は，仮ライセンスがコンテンツ再生装置１０４にプリインストールされる際などに付与されたＩＤである。コンテンツ属性３０６は正規ライセンスに含まれるコンテンツ属性と同様であり，コンテンツ属性３０６の値には正規コンテンツを示す「Ａ１００」が設定される。復号鍵情報３０８は，各正規コンテンツに含まれる暗号化された実データを復号するための鍵情報である。
【００６０】
再生上限数５０２および再生可能期間５０４は，正規コンテンツの再生条件を指定する情報であり，指定された条件下で正規コンテンツの再生が許可される。図示の例によれば，再生上限数５０２には「１００」が設定されており，これは，正規コンテンツ群に含まれる複数の正規コンテンツ中，任意の１００個のコンテンツの再生を許可することを示している。また，再生可能期間５０４には，「２４ｈ」が設定されており，これは例えば，１つのコンテンツを２４時間利用可能，つまり，１つのコンテンツについて，最初に再生した時から２４時間以内に限り再生を許可することを示している。従って，図示の仮ライセンス２０８によれば，任意の１００個の正規コンテンツが，各々のコンテンツについて２４時間以内に限り，再生を許可される。なお，仮ライセンスによって再生された正規コンテンツの数や期間は後述するステータス記憶部に記憶されるステータス情報によって管理される。再生上限数５０２および再生可能期間５０４の設定の仕方によって様々な条件を指定することが可能であり，その条件の下で正規コンテンツの再生が許可される。
【００６１】
また仮ライセンスは，正規ライセンスが特定の正規コンテンツと対応付けられるのとは異なり，特定の正規コンテンツと対応付けられてはいない。１つの仮ライセンスによってコンテンツ属性「Ａ１００」をもつ全ての正規コンテンツの再生制御が行われ，仮ライセンスによって正規コンテンツ群に含まれる任意のコンテンツを再生することができる。従って，仮ライセンス２０８にはコンテンツＩＤが含まれている必要はない。
【００６２】
仮ライセンスに設定された条件下で正規コンテンツの再生制御がされることによって，正規コンテンツに対応した正規ライセンスをライセンス発行サーバ１０２から取得する前，すなわちユーザが正規ライセンスを購入する前であっても，プリインストールされている仮ライセンスによって制限付きで正規コンテンツを再生することができる。試聴ライセンスによって再生される試聴コンテンツは，正規コンテンツよりも低品質または正規コンテンツの一部分のみであるが，仮ライセンスによれば正規コンテンツを再生することができるため，ユーザは正規ライセンスを購入する前に購入対象である正規コンテンツを確認することができる。
【００６３】
以上，各ライセンスと各コンテンツとの関係について説明した。図２に戻り，コンテンツ再生装置１０４の機能構成について説明を続ける。
【００６４】
ステータス記憶部２１８は，仮ライセンスに応じた１または２以上の正規コンテンツの再生状況を示すステータス情報を記憶する機能を有する。図６は，ステータス記憶部２１８に記憶されるステータス情報の一例を示している。ステータス記憶部２１８には，ステータス情報として，例えば，コンテンツＩＤ６０２と，再生開始日時６０４とが記憶される。コンテンツＩＤ６０２は，仮ライセンスによって再生された正規コンテンツのコンテンツＩＤであり，その正規コンテンツが最初に再生された日時が再生開日時６０４に格納される。再生開始日時６０４は，再生された正規コンテンツの利用経過期間を示す情報の一例であり，後述するように現在日時と比較されることによって正規コンテンツの利用経過期間を示す。
【００６５】
再生制御部２２２は，コンテンツ記憶部２１２に格納されている各コンテンツの再生制御を行う機能を有し，試聴ライセンスに基づいて試聴コンテンツの再生を制御し，正規ライセンスに基づいて正規コンテンツの再生を制御し，仮ライセンスおよびステータス記憶部２１８のステータス情報に基づいて正規コンテンツの再生を制御する。再生制御部２２２が行う再生制御処理については，図７〜図９に基づいて後述する。
【００６６】
コンテンツ再生部２２０は，再生制御部２２２によって再生が許可された正規コンテンツまたは試聴コンテンツを再生する機能を有する。具体的には，各コンテンツに含まれている楽曲のデジタルデータに基づいて，各楽曲を再生する。
【００６７】
ステータス更新部２２４は，仮ライセンスに応じた正規コンテンツの再生状況に基づいてステータス記憶部２１８のステータス情報を更新する機能を有する。具体的には，仮ライセンスによって正規コンテンツが新しく再生された場合に，再生された正規コンテンツのコンテンツＩＤと再生開始日時とをステータス記憶部２１８に書き込む。ステータス更新部２２４はまた，ライセンス受信部２０２によって取得された正規ライセンスの数に応じて，ステータス記憶部２１８内の再生された正規コンテンツの数を示す情報を更新する機能を有する。詳細は図１０および図１１に基づいて後述する。
【００６８】
コンテンツ状態表示部２２６は，再生制御部２２２から各コンテンツの状態を取得し，コンテンツ再生装置１０４が備える表示装置に表示する。コンテンツの状態とは，例えば，正規ライセンス取得済みの正規コンテンツであるのか，仮ライセンスによって再生された正規コンテンツであるのか等である。図１２は，コンテンツ状態表示部２２６によって表示装置に表示されるコンテンツの状態の一例である。表示装置７０２には，まず，試聴ボタン７０４，テンポラリィボタン７０６，購入済ボタン７０８が表示される。
【００６９】
試聴ボタン７０４が押下されると，試聴コンテンツ一覧が表示装置７０２に表示される。試聴コンテンツ一覧には，図示のように，曲情報７１０，７１２，…，として例えば試聴コンテンツに含まれる楽曲のタイトル名やアーティスト名などが表示される。
【００７０】
テンポラリィボタン７０６が押下されると，仮ライセンスによる正規コンテンツの再生情報一覧が表示装置７０２に表示される。再生情報一覧には，図示のように曲情報７１０，７１２のほかに，曲情報の付属情報として終了日時７１６，７１８と，利用可能数７１４などが表示される。終了日時７１６には，曲情報７１０に対応する正規コンテンツを仮ライセンスによって再生できる期限が表示される。正規コンテンツを再生できる期限は，コンテンツ状態表示部２２６が再生制御部２２２から仮ライセンス２０８内の再生可能期間５０４，およびステータス記憶部２１８内の再生開始日時を取得し，再生開始日時に再生可能期間を加算することによって求めることができる。利用可能数７１４には，仮ライセンス２０８によって再生することが可能な正規コンテンツの残数が表示される。利用可能数は，コンテンツ状態表示部２２６が再生制御部２２２から仮ライセンス２０８内の再生上限数５０２，およびステータス記憶部２１８に記憶されているコンテンツＩＤの総数を取得し，再生上限数からコンテンツＩＤの総数を減算することによって求めることができる。
【００７１】
購入済みボタン７０８が押下されると，正規ライセンスを取得済みの正規コンテンツ一覧が表示装置７０２に表示される。正規コンテンツ一覧には，曲情報７１０，７１２のほかに，購入済みライセンス数７２０が表示される。
【００７２】
図２に戻り，コンテンツ再生装置１０４の説明を続ける。コンテンツ選択部２２８は，コンテンツ再生装置１０４が備える入力装置からユーザによって入力された再生希望曲の情報を再生制御部に提供する。具体的には例えば，キーボードやタッチスクリーン，マウスなどの入力装置を介してユーザによって選択されたコンテンツのコンテンツＩＤを再生制御部２２２に提供する。再生制御部は，コンテンツ選択部２２８から取得したコンテンツＩＤに基づいて，そのコンテンツの再生制御を行う。
【００７３】
現在日時取得部２３０は，再生制御部２２２の要求に基づいてシステム日時を取得して再生制御部２２２に提供する。
【００７４】
以上，コンテンツ再生装置１０４の機能構成について説明した。次に，図７に基づいて再生制御部２２２の再生制御処理を中心にコンテンツ再生装置１０４が行うコンテンツ再生処理について説明する。
【００７５】
まず，ユーザによって入力装置を介して再生希望曲が選択される（Ｓ１０２）。再生希望曲が選択されると，選択された曲に対応するコンテンツのコンテンツＩＤをコンテンツ選択部２２８が取得し，再生制御部２２２に提供する（Ｓ１０４）。再生制御部２２２は，取得したコンテンツＩＤに基づき当該コンテンツＩＤを含む正規ライセンスをライセンス記憶部２０４から検索する（Ｓ１０６）。検索の結果ステップＳ１０８で，当該コンテンツＩＤを含む正規ライセンスがライセンス記憶部２０４に格納されていた場合には正規コンテンツの再生を許可し，コンテンツ再生部２２０が当該正規コンテンツを再生する（Ｓ１１０）。一方，検索の結果ステップＳ１０８で，当該コンテンツＩＤを含む正規ライセンスがライセンス記憶部２０４に格納されていなかった場合には，再生制御部２２２はステータス記憶部２１８を参照する（Ｓ１１２）。ステータス記憶部２１８を参照した結果，当該コンテンツＩＤがステータス記憶部２１８に記憶されており，かつ，そのコンテンツをまだ利用することができれば（Ｓ１１４），仮ライセンスによる当該正規コンテンツの再生を許可し，コンテンツ再生部２２０が当該正規コンテンツを再生する（Ｓ１１６）。
【００７６】
ここで，ステップＳ１１４の判断処理を図８を参照して詳細に説明する。まず，再生制御部２２２がコンテンツ選択部２２８から取得した再生対象のコンテンツＩＤがステータス記憶部２１８に含まれていなければ図７のステップＳ１１８に進む。含まれていれば，図８のステップＳ２０２に進み，再生制御部２２２は該当コンテンツＩＤと関連づけられている再生開始日時６０４を読み出す（Ｓ２０２）。その後，ライセンス記憶部２０４に格納されている仮ライセンス２０８から再生可能期間５０４を読み出し（Ｓ２０４）。現在日時取得部２３０に要求して現在日時を取得する（Ｓ２０６）。そして，取得した再生開始日時，再生可能期間および現在日時とに基づいてそのコンテンツがまだ再生可能期間内であるかを判断する（Ｓ２０８）。具体的には例えば，現在日時から再生開始日時を減算した結果が再生可能期間以下である場合にはまだ再生可能期間内であるため，そのコンテンツＩＤに対応する正規コンテンツの再生を許可し（Ｓ２１０），図７のステップＳ１１６に進む。一方，ステップＳ２０８での判断の結果再生可能期間を過ぎている場合には，そのコンテンツＩＤに対応する正規コンテンツの再生を不許可にし（Ｓ２１２），図７のステップＳ１１８に進む。
【００７７】
図７に戻り，ステップＳ１１８以降の処理の説明を続ける。再生制御部２２２は，ステップＳ１１８でステータス記憶部２１８に記憶されているステータス情報と仮ライセンとを比較し（Ｓ１１８），仮ライセンスによる正規コンテンツの再生が可能な状態であるかを判断する（Ｓ１２０）。図９を参照してステップ１２０の処理を詳細に説明すると，再生制御部２２２は，ステップ３０２で仮ライセンスから再生上限数を読み出し（Ｓ３０２），ステータス記憶部２１８に記憶されているコンテンツＩＤの総数を算出する（Ｓ３０４）。その後，取得した再生上限数とコンテンツＩＤの総数とを比較し（Ｓ３０６），コンテンツＩＤの総数が再生上限数未満であればまだ仮ライセンスによる正規コンテンツの再生を行えるため（Ｓ３０８），図７のステップＳ１２２に進む。一方，コンテンツＩＤの総数が再生上限数以上であれば仮ライセンスによる正規コンテンツの再生を許可せず（Ｓ３１０），図７のステップＳ１２８に進み，コンテンツ再生部２２０は試聴コンテンツの再生を行う（Ｓ１２８）。
【００７８】
ステップＳ１２０で仮ライセンスによる正規コンテンツの再生が許可された場合には，ステップＳ１２２で，コンテンツ再生装置１０４が備える表示装置７０２にメッセージを表示するなどして仮ライセンスによる再生を行うかをユーザに判断させる（Ｓ１２２）。ユーザが仮ライセンスによる再生を行わないことを選択した場合には，コンテンツ再生部２２０は試聴コンテンツを再生する（Ｓ１２８）。一方，ユーザが仮ライセンスによる再生を行うことを選択した場合には，コンテンツ再生部２２０は正規コンテンツを再生する（Ｓ１２４）。その後，再生制御部２２２はステータス更新部２２４に命令してステータス記憶部のステータス情報を更新させる（Ｓ１２６）。具体的には，再生した正規コンテンツのコンテンツＩＤと，再生開始時間とがステータス記憶部２１８に書き込まれる。
【００７９】
以上，コンテンツ再生処理について説明した。次に，図１０および図１１に基づいて，正規ライセンス取得時にステータス更新部２２４が行う，ステータス記憶部２１８内の再生された正規コンテンツの数を示す情報の更新処理について説明する。
【００８０】
まず，ステップＳ４０２で，ライセンス受信部２０２がライセンス発行サーバ１０２から正規ライセンスを取得する（Ｓ４０２）。ライセンス受信部２０２またはステータス更新部２２４が，受信された正規ライセンスからコンテンツＩＤを取得する（Ｓ４０４）。その後，ステータス更新部２２４は，取得したコンテンツＩＤをステータス記憶部２１８から検索する（Ｓ４０６）。ステップＳ４０８で，検索の結果該当コンテンツＩＤがステータス記憶部２１８に記憶されていた場合にはステップＳ４１０に進み，ステータス更新部２２４は，該当コンテンツＩＤおよびそのコンテンツＩＤと関連付けて記憶されている再生開始時間をステータス記憶部２１８から削除する（Ｓ４１０）。図１１を参照して説明すると，正規ライセンス２１４ｅを取得した場合には，含まれるコンテンツＩＤ「０００５」がステータス記憶部２１８から削除される。
【００８１】
一方，ステップＳ４０９で該当コンテンツＩＤがステータス記憶部２１８に記憶されていなかった場合にはステップＳ４１２に進み，ステータス記憶部２１８に記憶されているコンテンツＩＤの中で，再生可能期間を過ぎているものがあるかを調べる（Ｓ４１２）。具体的には例えば，ステータス更新部２２４は，現在日時取得部２３０に要求して現在日時を取得し，ライセンス記憶部２０４から仮ライセンスに含まれる再生可能期間５０４を読み出し，ステータス記憶部に記憶されている再生開始時間を順次読み出して現在日時と比較を行うことによって再生可能期間を過ぎているものがあるかを判断することができる。判断の結果，再生可能期間を過ぎているものがある場合には，その再生開始日時および関連づけられているコンテンツＩＤをステータス記憶部４１４から削除する（Ｓ４１４）。一方，再生可能期間を過ぎているものがない場合にはステップＳ４１６に進み，ステータス記憶部２１８にコンテンツＩＤが記憶されている場合には，任意のコンテンツＩＤおよび関連付けられている再生開始日時を削除する（Ｓ４１８）。
【００８２】
ステップＳ４２０では，取得ライセンス数と現時点までにステップＳ４０４以降の処理を行った回数とを比較し，取得したすべての正規ライセンスについて同様の処理を行う。
【００８３】
上記処理によって，正規ライセンスを取得した場合には，仮ライセンスによって再生された正規コンテンツ数が減らされる。従って，取得した正規ライセンスの数に応じて，仮ライセンスによって再生できる正規コンテンツの数が回復する。
【００８４】
以上，第１実施形態にかかるコンテンツ再生装置１０４について説明した。第１実施形態にかかるコンテンツ再生装置１０４を上記構成にすることによって，プリインストールされた正規コンテンツを自由に利用するためには正規コンテンツに応じた正規ライセンスの取得を必要としながらも，当該正規コンテンツをプリインストールされた仮ライセンスによって所定の条件下でユーザに利用させることができる。また，正規コンテンツに対応した試聴コンテンツおよび試聴コンテンツを再生するための試聴ライセンスがコンテンツ再生装置１０４にプリインストールされることによって，ユーザは，まず試聴コンテンツを再生し，その中で気に入ったものの正規コンテンツを仮ライセンスによって再生して購入対象となる正規コンテンツを購入前に確認し，その後正規ライセンスを購入して正規コンテンツを自由に再生することができる。従って，当該コンテンツ再生装置１０４を購入したユーザが所望しないコンテンツのライセンスまでが予めインストールされてそのライセンスに対する課金も予めされてしまうことはなく，また，コンテンツに対応したライセンスをサーバから逐一取得しなくてはそのコンテンツが利用できないという不便をユーザに強いることもない。
【００８５】
（第２実施形態）
次に，本発明の第２実施形態にかかるコンテンツ再生装置８０４について説明する。第２実施形態にかかるコンテンツ再生装置８０４は，試聴コンテンツおよび正規コンテンツの再生履歴を蓄積し，蓄積した再生履歴を外部のリコメンドサーバに対して通信網１０６を介して送信できる。またコンテンツ再生装置８０４は，送信した再生履歴に基づいてリコメンドサーバによって作成されたリコメンド情報をリコメンドサーバから受信することができる。また，リコメンドされたコンテンツの中でコンテンツ再生装置８０４が保有していないコンテンツをリコメンドサーバまたは他の外部の情報処理装置から受信することができる。以後，第１実施形態にかかるコンテンツ再生装置１０４と相違する部分を中心にコンテンツ再生装置８０４について説明する。
【００８６】
コンテンツ再生装置８０４は，第１実施形態にかかるコンテンツ再生装置１０４と同様に通信網１０６を介してライセンス発行サーバ１０２と接続可能であるとともに，後述する再生履歴およびリコメンド情報を送受信するリコメンドサーバ（図示せず）と接続可能である。なお，ライセンス発行サーバ１０２がリコメンドサーバの機能を備えることによってライセンス発行サーバ１０２とリコメンドサーバが同一のサーバ装置によって構成されていてもよい。また，コンテンツ再生装置８０４は，コンテンツをコンテンツ再生装置８０４に送信する外部の情報処理装置であるコンテンツ提供装置（図示せず）とも接続可能である。ライセンス発行サーバ１０２またはリコメンドサーバがコンテンツ提供装置の機能を兼ね備えており，コンテンツ再生装置８０４は通信網１０６を介してコンテンツ提供装置からコンテンツを受信していてもよい。また，コンテンツ再生装置がコンテンツ提供装置の機能を兼ね備え，コンテンツ再生装置８０４は他のコンテンツ再生装置から例えば赤外線通信や無線通信などによってコンテンツを受信してもよい。本実施形態では，リコメンドサーバがコンテンツ提供装置の機能を兼ね備える場合について説明する。
【００８７】
図１３に基づいて，本実施形態にかかるコンテンツ再生装置８０４の機能構成について説明する。コンテンツ再生装置８０４は，例えば，ライセンス受信部２０２と，ライセンス記憶部２０４と，コンテンツ記憶部２１２と，ステータス記憶部２１８と，コンテンツ再生部２２０と，再生制御部２２２と，ステータス更新部２２４と，コンテンツ状態表示部２２６と，コンテンツ選択部と，現在日時取得部２３０と，コンテンツ取得部８０６と，リコメンド情報受信部８０８と，再生履歴送信部８１０と，コンテンツ更新部８１２と，再生履歴記憶部８１４などを備える。第１実施形態にかかるコンテンツ再生装置１０４と実質的に同じ機能を有する部分については図面において同一の符号を付してあり，説明を省略する。
【００８８】
再生履歴記憶部８１４は，コンテンツ再生部２２０によって再生された試聴コンテンツおよび正規コンテンツの再生履歴が記憶される。具体的には，再生制御部２２２によって，再生された試聴コンテンツのコンテンツＩＤ，当該試聴コンテンツに含まれる楽曲のタイトル名やアーティスト名などが再生履歴記憶部８１４に書き込まれる。また，再生制御部２２２が仮ライセンス２０８およびステータス記憶部２１８に基づいて再生を許可した正規コンテンツのコンテンツＩＤ，当該正規コンテンツに含まれる楽曲のタイトル名やアーティスト名などが，再生制御部２２２によって再生履歴記憶部８１４に書き込まれる。
【００８９】
再生履歴送信部８１０は，再生履歴記憶部８１４に記憶されている再生履歴を取得して通信網１０６を介してリコメンドサーバに送信する機能を有する。具体的には，コンテンツ再生装置８０４が備える入力装置を介してユーザからの送信指示を受けた場合，またはリコメンドサーバがライセンス発行サーバ１０２と同一のサーバ装置である場合には例えばライセンス受信部２０２が正規ライセンスを受信した際などに，再生履歴記憶部８１４から再生履歴として記憶されている上記のコンテンツＩＤ，楽曲のタイトル名やアーティスト名など読み出して，リコメンドサーバに送信する。なお，再生履歴の送信タイミングとしては，上記以外にも，例えばコンテンツ再生装置８０４を充電する充電器に通信網１０６への接続機能を設けて，コンテンツ再生装置８０４が当該充電器に充電のために載置されたタイミングで，充電器に設けられた通信網１０６への接続機能を介して上記再生履歴を送信するように構成してもよい。
【００９０】
再生履歴送信部８１０から再生履歴を受信したリコメンドサーバは，当該再生履歴に含まれるコンテンツＩＤ，楽曲のタイトル名やアーティスト名などに基づいて，送信元のコンテンツ再生装置８０４を使用するユーザにリコメンドするコンテンツの情報であるリコメンド情報を作成する。具体的には例えば，受信した複数のコンテンツＩＤに対応する各々のコンテンツ内に含まれる楽曲のメロディの特徴からメロディの共通性を抽出し，同様の特徴をもつ楽曲を含むコンテンツのコンテンツＩＤ，含まれる楽曲の楽曲名やそのアーティスト名などをリコメンド情報とすることができる。または，再生履歴に含まれるアーティスト名と同じアーティストによる楽曲が含まれるコンテンツのコンテンツＩＤや楽曲名等をリコメンド情報としてもよい。
【００９１】
リコメンド情報受信部８０８は，リコメンドサーバから上記リコメンド情報を受信する機能を有する。リコメンド情報受信部８０８はまた，リコメンド情報を受信後，コンテンツ再生装置８０４が備える表示装置にリコメンド情報に含まれる楽曲のタイトル名やアーティスト名などを表示する。
【００９２】
コンテンツ取得部８０６は，リコメンド情報受信部８０８が受信したリコメンド情報に基づいて，コンテンツをリコメンドサーバから受信する機能を有する。具体的には，リコメンド情報受信部８０８によって表示装置に表示されたリコメンド情報に基づいてユーザが入力装置を介して指定したコンテンツに関して，リコメンドサーバに対して取得要求を送信し，該当コンテンツをリコメンドサーバから受信する。
【００９３】
コンテンツ更新部８１２は，コンテンツ取得部８０６がリコメンドサーバから受信したコンテンツをコンテンツ記憶部２１２に格納するとともに，不要な正規コンテンツをコンテンツ記憶部２１２から削除する。不要な正規コンテンツとは，コンテンツ再生装置８０４にプリインストールされている正規コンテンツの中で，ユーザによって利用されていない正規コンテンツである。
【００９４】
図１４および図１５に基づいて，再生履歴送信部８１０，リコメンド情報受信部８０８，コンテンツ取得部８０６およびコンテンツ更新部８１２が行う処理の流れについて説明する。
【００９５】
まず，図１４のステップＳ５０２でで，コンテンツ再生装置８０４の再生履歴送信部８１０が，再生履歴記憶部８１４から再生履歴を読み出して，当該再生履歴情報をリコメンドサーバに送信する（Ｓ５０２）。リコメンドサーバは，受信した再生履歴情報に基づいて嗜好情報を抽出する（Ｓ５０４）。具体的には上述の通り，再生履歴情報に含まれるコンテンツＩＤやアーティスト名などに基づいてコンテンツ装置８０４を使用するユーザの嗜好を抽出する。リコメンドサーバは抽出した嗜好情報に基づいてリコメンドするコンテンツの情報を含むリコメンド情報を作成し（Ｓ５０６），コンテンツ再生装置８０４に送信する（Ｓ５０８）。
【００９６】
コンテンツ再生装置８０４のリコメンド情報受信部８０８は，受信したリコメンド情報を表示装置に表示して，ユーザに購入希望曲を選択させる（Ｓ５１０）。ユーザが入力装置を介して購入希望曲を選択すると，リコメンド情報受信部８０８は選択された楽曲が含まれるコンテンツのコンテンツＩＤをコンテンツ取得部８０６に提供し，選択された楽曲が含まれるコンテンツの数をコンテンツ更新部８１２に提供する。コンテンツ更新部８１２は，リコメンド情報受信部８０８から取得したコンテンツの数に基づいて，同数の正規コンテンツをコンテンツ記憶部２１２から削除する（Ｓ５１２）。コンテンツ取得部８０６は，リコメンド情報受信部８０８から取得したコンテンツＩＤに基づいてユーザの購入希望曲が含まれるコンテンツに関する取得要求をリコメンドサーバに送信する（Ｓ５１４）。
【００９７】
リコメンドサーバは，コンテンツ再生装置８０４から取得要求を受信後，その取得要求に基づいて対応するコンテンツとそのコンテンツを再生するためのライセンスをコンテンツ再生装置８０４に送信する（Ｓ５１６）。この際にリコメンドサーバは，送信するコンテンツに応じた課金処理を行っても良い。
【００９８】
コンテンツ再生装置８０４のコンテンツ取得部８０６は，リコメンドサーバからコンテンツとライセンスを受信し，コンテンツ更新部８１２に提供する。コンテンツ更新部８１２は，取得したコンテンツをコンテンツ記憶部２１２に格納し，同様に取得したライセンスをライセンス記憶部２０４に格納する（Ｓ５１８）。
【００９９】
次に，図１４のステップＳ５１２の正規コンテンツ削除処理を図１５を参照して説明する。コンテンツ更新部８１２は，まず，ライセンス記憶部２０４から正規ライセンスを検索する（Ｓ６０２）。具体的には，例えばライセンスＩＤに基づいて，いずれかの正規ライセンスがライセンス記憶部２０４に格納されているかを調べる。正規ライセンスが格納されている場合には，その正規ライセンスに含まれるコンテンツＩＤを読み出し，ＲＡＭ等に一時保存しておく（Ｓ６０４）。
【０１００】
ライセンス記憶部２０４に格納されている全ての正規ライセンスについてコンテンツＩＤの一時保存処理を行った後に，コンテンツ更新部８１２は再生履歴記憶部８１４を参照し（Ｓ６０６），再生履歴記憶部８１４に記憶されている全てのコンテンツＩＤを読み出して，上記と同様にＲＡＭ等に一時保存する（Ｓ６０８）。
【０１０１】
上記処理により，正規ライセンスを購入済みの正規コンテンツのコンテンツＩＤ，および，ユーザが再生したことのある試聴コンテンツおよび正規コンテンツのコンテンツＩＤがＲＡＭ等に一時保存される。つまり，一時保存されたコンテンツＩＤに対応するコンテンツはユーザが利用したものであり，それ以外のコンテンツはユーザが一度も利用していないコンテンツである。従って，一度も利用されていないコンテンツは，ユーザにとって不要である可能性がある。
【０１０２】
そこで，コンテンツ更新部８１２は，上記処理によって一時保存されたコンテンツＩＤ以外のコンテンツＩＤをもつ正規コンテンツを削除対象とし，ユーザに削除確認をするなどして任意の正規コンテンツを選択し，コンテンツ記憶部２１２から当該正規コンテンツを削除する（Ｓ６１０）。
【０１０３】
上述のように，購入希望のコンテンツ数と同数の正規コンテンツをコンテンツ記憶部２１２から削除することによって，コンテンツ再生装置８０４の記憶容量を超えることなく，コンテンツ再生装置８０４はユーザの所望のコンテンツをリコメンドサーバから取得することができる。また，削除対象を上述のように選択することによって，プリインストールされた複数の正規コンテンツからユーザによって利用されていない，つまりユーザの嗜好に沿わない可能性が高い正規コンテンツをコンテンツ記憶部２１２から削除することができる。その結果，上記処理を繰り返すことによって，コンテンツ記憶部２１２にプリインストールされていたユーザの嗜好に沿わない正規コンテンツが，リコメンドサーバから受信したユーザの所望のコンテンツに置き換えられ，コンテンツ記憶部２１２にはよりユーザの嗜好に沿った正規コンテンツのみが格納されることになり，コンテンツ再生装置８０６がユーザの嗜好に沿ってカスタマイズされていくことが可能になる。
【０１０４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１０５】
本発明は，コンテンツ再生装置に適用可能であり，特にコンテンツがプリインストールされたコンテンツ再生装置に適用可能である。
【図面の簡単な説明】
【０１０６】
【図１】本発明の第１実施形態にかかるコンテンツ再生システムを示す全体構成図である。
【図２】同実施の形態におけるコンテンツ再生装置の機能構成を示すブロック図である。
【図３】同実施の形態における正規ライセンスと正規コンテンツを示した説明図である。
【図４】同実施の形態における試聴ライセンスと試聴コンテンツを示した説明図である。
【図５】同実施の形態における仮ライセンスと正規コンテンツを示した説明図である。
【図６】同実施の形態におけるステータス記憶部を示した説明図である。
【図７】同実施の形態におけるコンテンツ再生処理を示したフローチャートである。
【図８】同実施の形態におけるコンテンツ再生制御処理を示したフローチャートである。
【図９】同実施の形態におけるコンテンツ再生制御処理を示したフローチャートである。
【図１０】同実施の形態における正規ライセンス取得処理を示したフローチャートである。
【図１１】同実施の形態におけるステータス情報更新処理を示した説明図である。
【図１２】同実施の形態におけるコンテンツ再生装置の表示装置に表示される画面を示した説明図である。
【図１３】本発明の第２実施形態におけるコンテンツ再生装置の機能構成を示すブロック図である。
【図１４】同実施の形態におけるコンテンツ取得処理を示したフローチャートである。
【図１５】同実施の形態における正規コンテンツ削除処理を示したフローチャートである。
【符号の説明】
【０１０７】
１００      コンテンツ再生システム
１０２      ライセンス発行サーバ
１０４ａ，１０４ｂ，１０４ｃ      コンテンツ再生装置
１０６      通信網
【図１】
2006024030.tif 000003
【図２】
2006024030.tif 000004
【図３】
2006024030.tif 000005
【図４】
2006024030.tif 000006
【図５】
2006024030.tif 000007
【図６】
2006024030.tif 000008
【図７】
2006024030.tif 000009
【図８】
2006024030.tif 000010
【図９】
2006024030.tif 000011
【図１０】
2006024030.tif 000012
【図１１】
2006024030.tif 000013
【図１２】
2006024030.tif 000014
【図１３】
2006024030.tif 000015
【図１４】
2006024030.tif 000016
【図１５】
2006024030.tif 000017